(57)【要約】【課題】ケーブルと情報機器との間の接続関係が正しくなるように、保守管理者に対して、ケーブルの抜き差しを誘導する保守管理方法及び設備システムを提供する。【解決手段】ユニット装置及び複数のケーブルには、識別子タグが装着されている。携帯端末が、ユニット装置に装着された識別子タグから識別子を読み取り、その識別子を保守管理サーバへ送信し、抜き差し対象となるケーブルに装着された識別子タグから識別子を読み取り、その識別子を保守管理サーバへ送信する。これに対し、保守管理サーバが、ユニット装置に対するケーブルの抜き差しを誘導する保守管理情報を、携帯端末へ送信する。携帯端末は、保守管理情報を、ユーザインタフェース手段に出力する。【選択図】図２
2009217732.tif 000002
【特許請求の範囲】
【請求項１】
ケーブルと、複数の該ケーブルを物理的に抜き差し可能なユニット装置と、前記ユニット装置に対する前記ケーブルの抜き差し状態を、ネットワークを介して管理する保守管理サーバとを有する設備システムの保守管理方法であって、
識別子タグから識別子を読み取る識別子読取手段と、前記識別子を前記保守管理サーバへ送信する識別子送信手段と、前記保守管理サーバから保守管理情報を受信する保守管理情報受信手段と、該保守管理情報を出力するユーザインタフェース手段とを有する携帯端末を更に有し、
前記ユニット装置及び複数の前記ケーブルには、前記識別子タグが装着されており、
前記携帯端末が、前記ユニット装置に装着された前記識別子タグから識別子を読み取り、該識別子を前記保守管理サーバへ送信する第１のステップと、
前記携帯端末が、抜き差し対象となる前記ケーブルに装着された前記識別子タグから識別子を読み取り、該識別子を前記保守管理サーバへ送信する第２のステップと、
前記保守管理サーバが、前記ユニット装置に対する前記ケーブルの抜き差しを誘導する前記保守管理情報を、前記携帯端末へ送信する第３のステップと、
前記携帯端末が、前記保守管理情報を、前記ユーザインタフェース手段に出力する第４のステップと
を有することを特徴とする設備システムの保守管理方法。
【請求項２】
前記識別子タグは、ＲＦＩＤ(Radio Frequency IDentifier)タグであり、
前記携帯端末の前記識別子読取手段は、ＲＦＩＤ読取手段である
ことを特徴とする請求項１に記載の設備システムの保守管理方法。
【請求項３】
前記ユニット装置に装着されたＲＦＩＤタグは、電波反射型又は電波出力型であることを特徴とする請求項２に記載の設備システムの保守管理方法。
【請求項４】
前記識別子タグは、ＱＲ(Quick Response)コード又はバーコードが表記されたタグであり、
前記携帯端末の前記識別子読取手段は、コード読取手段である
ことを特徴とする請求項１に記載の設備システムの保守管理方法。
【請求項５】
前記保守管理情報は、前記ユニット装置及び前記ケーブルを表示し、且つ、前記ケーブルの抜き差しを視覚的に誘導する画像情報、及び／又は、ケーブルの抜き差しを聴覚的に誘導する音声情報であることを特徴とする請求項１から４のいずれか１項に記載の設備システムの保守管理方法。
【請求項６】
前記設備システムは、前記ユニット装置を物理的に抜き差し可能なラック装置を更に有し、該ラック装置にも、前記識別子タグが装着されており、
第１のステップについて、更に、前記携帯端末が、前記ラック装置に装着された前記識別子タグから識別子を読み取り、該識別子を前記保守管理サーバへ送信し、
第３のステップについて、前記保守管理サーバが、前記ラック装置に搭載された前記ユニット装置に対する前記ケーブルの抜き差しを誘導する前記保守管理情報を、前記携帯端末へ送信する
ことを特徴とする請求項１から５のいずれか１項に記載の設備システムの保守管理方法。
【請求項７】
ケーブルと、複数の該ケーブルを物理的に抜き差し可能なユニット装置と、前記ユニット装置に対する前記ケーブルの抜き差し状態を、ネットワークを介して管理する保守管理サーバとを有する設備システムであって、
前記ユニット装置及び複数の前記ケーブルには、読み取り可能な識別子タグが装着されており、
前記携帯端末は、前記ユニット装置及び前記ケーブルに装着された前記識別子タグから識別子を読み取る識別子読取手段と、前記識別子を前記保守管理サーバへ送信する識別子送信手段と、前記保守管理サーバから保守管理情報を受信する保守管理情報受信手段と、該保守管理情報を出力するユーザインタフェース手段とを有し、
前記保守管理サーバは、前記携帯端末から前記識別子を受信する識別子受信手段と、前記ユニット装置に対する前記ケーブルの抜き差しを誘導する前記保守管理情報を生成する保守管理情報生成手段と、前記保守管理情報を前記携帯端末へ送信する保守管理情報送信手段とを有する
ことを特徴とする設備システム。
【請求項８】
前記ユニット装置を物理的に抜き差し可能なラック装置を更に有し、
前記ラック装置にも、前記識別子タグが装着されており、
前記携帯端末の前記識別子読取手段は、更に、前記ラック装置に装着された前記識別子タグから識別子を読み取り、
前記保守管理サーバの前記保守管理情報生成手段は、前記ラック装置に搭載された前記ユニット装置に対する前記ケーブルの抜き差しを誘導する前記保守管理情報を生成する
ことを特徴とする請求項７に記載の設備システム。
【発明の詳細な説明】
【技術分野】
【０００１】
本発明は、ケーブルの抜き差しを誘導する保守管理方法及び設備システムに関する。
【背景技術】
【０００２】
情報機器同士を接続するために、ケーブルが用いられている。特に、通信事業設備システム内では、大量の情報機器同士を大量のケーブルで接続している。従来、「丸タグ」と称される丸い紙のタグが、各ケーブルに結びつけられ、このタグには、そのケーブルによって接続される地域名や、伝送データの種別等が記載されている。保守管理者は、これらタグに記載された内容に応じて、通信事業設備内の適切な情報機器に接続していた。
【０００３】
また、ケーブルを抜き差しするポートを備えた情報機器は、通常、ケーブルの抜き差し直後の状態を直ぐに認識することができない。そのために、その情報機器の電源を、一旦、ＯＦＦ->ＯＮし、再度認識させなければならなかった。このような問題を解決するために、情報機器がオンライン稼働中であっても、ケーブルの抜き差しを自動的に検出し且つ切り替える技術がある（例えば特許文献１参照）。これにより、ケーブルの抜き差しによる状態移行をスムーズにする。
【０００４】
【非特許文献１】特開平１０−１３３９９６号公報
【発明の開示】
【発明が解決しようとする課題】
【０００５】
しかしながら、保守管理者が、ケーブルを誤った情報機器に接続するという問題がある。特に、通信事業設備システムにおける統合・分離の際には、ケーブルの誤接続が問題となっている。また、情報機器自体が、ケーブルの誤接続を検出する機能を備えているとしても、一旦、電源がＯＦＦ->ＯＮされるまでは、保守管理者は、その誤接続を認識できない。
【０００６】
また、特許文献１に記載された技術によれば、保守管理者が、誤ってケーブルを抜き差した場合であっても、自動的に検出し且つ直ぐに切り替えるために、他の情報機器及びネットワークに対する影響が大きい。
【０００７】
従って、本発明は、ケーブルと情報機器との間の接続関係が正しくなるように、保守管理者に対して、ケーブルの抜き差しを誘導する保守管理方法及び設備システムを提供することを目的とする。
【課題を解決するための手段】
【０００８】
本発明によれば、ケーブルと、複数の該ケーブルを物理的に抜き差し可能なユニット装置と、ユニット装置に対するケーブルの抜き差し状態を、ネットワークを介して管理する保守管理サーバとを有する設備システムの保守管理方法であって、
識別子タグから識別子を読み取る識別子読取手段と、識別子を保守管理サーバへ送信する識別子送信手段と、保守管理サーバから保守管理情報を受信する保守管理情報受信手段と、該保守管理情報を出力するユーザインタフェース手段とを有する携帯端末を更に有し、
ユニット装置及び複数のケーブルには、識別子タグが装着されており、
携帯端末が、ユニット装置に装着された識別子タグから識別子を読み取り、該識別子を保守管理サーバへ送信する第１のステップと、
携帯端末が、抜き差し対象となるケーブルに装着された識別子タグから識別子を読み取り、該識別子を保守管理サーバへ送信する第２のステップと、
保守管理サーバが、ユニット装置に対するケーブルの抜き差しを誘導する保守管理情報を、携帯端末へ送信する第３のステップと、
携帯端末が、保守管理情報を、ユーザインタフェース手段に出力する第４のステップと
を有することを特徴とする。
【０００９】
本発明の設備システムの保守管理方法によれば、識別子タグは、ＲＦＩＤ(Radio Frequency IDentifier)タグであり、携帯端末の識別子読取手段は、ＲＦＩＤ読取手段であることも好ましい。
【００１０】
本発明の設備システムの保守管理方法によれば、ユニット装置に装着されたＲＦＩＤタグは、電波反射型又は電波出力型であることも好ましい。
【００１１】
本発明の設備システムの保守管理方法によれば、識別子タグは、ＱＲ(Quick Response)コード又はバーコードが表記されたタグであり、携帯端末の識別子読取手段は、コード読取手段であることも好ましい。
【００１２】
本発明の設備システムの保守管理方法によれば、保守管理情報は、ユニット装置及びケーブルを表示し、且つ、ケーブルの抜き差しを視覚的に誘導する画像情報、及び／又は、ケーブルの抜き差しを聴覚的に誘導する音声情報であることも好ましい。
【００１３】
本発明の設備システムの保守管理方法によれば、
設備システムは、ユニット装置を物理的に抜き差し可能なラック装置を更に有し、該ラック装置にも、識別子タグが装着されており、
第１のステップについて、更に、携帯端末が、ラック装置に装着された識別子タグから識別子を読み取り、該識別子を保守管理サーバへ送信し、
第３のステップについて、保守管理サーバが、ラック装置に搭載されたユニット装置に対するケーブルの抜き差しを誘導する保守管理情報を、携帯端末へ送信する
ことも好ましい。
【００１４】
本発明によれば、ケーブルと、複数の該ケーブルを物理的に抜き差し可能なユニット装置と、ユニット装置に対するケーブルの抜き差し状態を、ネットワークを介して管理する保守管理サーバとを有する設備システムであって、
ユニット装置及び複数のケーブルには、読み取り可能な識別子タグが装着されており、
携帯端末は、ユニット装置及びケーブルに装着された識別子タグから識別子を読み取る識別子読取手段と、識別子を保守管理サーバへ送信する識別子送信手段と、保守管理サーバから保守管理情報を受信する保守管理情報受信手段と、該保守管理情報を出力するユーザインタフェース手段とを有し、
保守管理サーバは、携帯端末から識別子を受信する識別子受信手段と、ユニット装置に対するケーブルの抜き差しを誘導する保守管理情報を生成する保守管理情報生成手段と、保守管理情報を携帯端末へ送信する保守管理情報送信手段とを有する
ことを特徴とする。
【００１５】
本発明の設備システムにおける他の実施形態によれば、
ユニット装置を物理的に抜き差し可能なラック装置を更に有し、
ラック装置にも、識別子タグが装着されており、
携帯端末の識別子読取手段は、更に、ラック装置に装着された識別子タグから識別子を読み取り、
保守管理サーバの保守管理情報生成手段は、ラック装置に搭載されたユニット装置に対するケーブルの抜き差しを誘導する保守管理情報を生成する
ことを特徴とする。
【発明の効果】
【００１６】
本発明の保守管理方法及び設備システムによれば、保守管理者は、携帯端末を用いて視覚的に又は聴覚的に、ケーブル接続の正当性を認識することができる。
【発明を実施するための最良の形態】
【００１７】
以下では、図面を用いて、本発明を実施するための最良の形態について詳細に説明する。
【００１８】
図１は、本発明におけるシステム構成図である。
【００１９】
図１は、例えば通信事業者設備を表している。通常、通信事業設備は、大量のラック装置１１を据え付け、そのラック装置１１に複数のユニット装置１２を挿入している。ユニット装置１２は、ラック装置１１に対して物理的に抜き差し可能である。また、ユニット装置１２は、ケーブル１３を接続するための複数のポートを備えている。保守管理者は、ラック装置１１及びユニット装置１２を特定し、そのユニット装置１２における適切なポートに対して、ケーブル１３を物理的に抜き差しする。
【００２０】
本発明によれば、ラック装置１１、ユニット装置１２及びケーブル１３には、読み取り可能な識別子タグが装着されている。識別子タグは、ＲＦＩＤタグであるのが好ましいが、ＱＲコード又はバーコードであってもよい。但し、ＱＲコード又はバーコードは、ＲＦＩＤタグと比較して、汚れに弱く、且つ、リーダ（読み取り）部の位置合わせの点から、少し不便といえる。
【００２１】
保守管理者によって所持される携帯端末２は、識別子タグを読み取る識別子読取部を備えている。保守管理者は、その携帯端末２を、識別子タグにかざすことによって、その識別子を読み取らせる。
【００２２】
ＲＦＩＤタグは、電波反射型又は電波出力型である。例えば、ラック装置１１に備えられるＲＦＩＤタグは、電波出力型であることも好ましい。携帯端末２を所持した保守管理者が、そのラックの前に立つだけで、その携帯端末２は、ラック装置１１のＲＦＩＤの識別子を読み取ることができる。
【００２３】
図２は、本発明における携帯端末及び保守管理サーバの機能構成図である。
【００２４】
携帯端末２は、識別子読取部２１と、識別子送信部２２と、保守管理情報受信部２３と、ユーザインタフェース部２４と、通信インタフェース部２５とを有する。
【００２５】
識別子読取部２１は、識別子タグから識別子を読み取る。識別子タグが、ＲＦＩＤタグである場合、ＲＦＩＤ読み取り機能を有する。読み取った識別子は、識別子送信部２２へ出力する。
【００２６】
識別子送信部２２は、識別子読取部２１から取得した識別子を、通信インタフェース部２５を介して、保守管理サーバ３へ送信する。ここで、ラック用識別子、ユニット装置用識別子及びケーブル用識別子をまとめて、保守管理サーバ３へ送信してもよいし、逐次送信してもよい。
【００２７】
保守管理情報受信部２３は、保守管理サーバ３から保守管理情報を受信する。保守管理情報とは、ユニット装置及びケーブルを表示し、且つ、ケーブルの抜き差しを視覚的に誘導する画像情報、及び／又は、ケーブルの抜き差しを聴覚的に誘導する音声情報である。これら保守管理情報は、ユーザインタフェース部２４へ出力される。
【００２８】
ユーザインタフェース部２４は、画像情報をディスプレイに表示し、音声情報をスピーカから発声する。
【００２９】
図３は、本発明における携帯端末に表示される画像の例である。
【００３０】
例えば、以下のような内容である。
（１）「そのケーブルは、ラック装置○○におけるユニット装置××のポート△番に、挿入してくだい」
（２）「ラック装置○○におけるユニット装置××のポート△番のケーブルを、抜いてください」
（３）「そのケーブルは、挿入しないでください。」
【００３１】
保守管理サーバ３は、ラック装置に搭載されたユニット装置に対するケーブルの抜き差し状態を、ネットワークを介して管理する。保守管理サーバ３は、識別子受信部３１と、保守管理情報生成部３２と、保守管理情報送信部３３と、通信インタフェース部３４とを有する。
【００３２】
識別子受信部３１は、通信インタフェース部３４を介して、携帯端末２から識別子を受信する。受信した識別子は、保守管理情報生成部３２へ出力する。
【００３３】
保守管理情報生成部３２は、ラック装置に搭載されたユニット装置に対するケーブルの抜き差しを誘導する保守管理情報を生成する。保守管理情報生成部３２は、ネットワークトポロジにおける全てのラック装置、ユニット装置及びケーブルの接続関係を保持する。また、全ての装置及びケーブルの識別子と、識別子タグが記憶する識別子とが一致している。従って、保守管理情報生成部３２は、ラック装置の識別子と、ユニット装置の識別子と、ケーブルの接続子とを対応付けて記憶する。
【００３４】
保守管理情報送信部３３は、保守管理情報を、通信インタフェース部３４を介して、携帯端末２へ送信する。
【００３５】
図４は、本発明における携帯端末のフローチャートである。
【００３６】
（Ｓ４０１）保守管理者は、ラック装置１１に装着されたＲＦＩＤタグに、携帯端末２をかざす。このとき、携帯端末２は、ラック装置用の識別子を読み取る。
（Ｓ４０２）次に、保守管理者は、ユニット装置１２に装着されたＲＦＩＤタグに、携帯端末２をかざす。このとき、携帯端末２は、ユニット装置用の識別子を読み取る。
（Ｓ４０３）更に、保守管理者は、ケーブル１３に装着されたＲＦＩＤタグに、携帯端末２をかざす。このとき、携帯端末２は、ケーブル用の識別子を読み取る。
【００３７】
（Ｓ４０４）携帯端末２は、読み取ったこれら識別子を全て、保守管理サーバ３へ送信する。
（Ｓ４０５）保守管理サーバ３は、携帯端末２から識別子を受信する。
【００３８】
（Ｓ４０６）保守管理サーバ３は、保守管理情報を生成する。
【００３９】
（Ｓ４０７）保守管理サーバ３は、生成した保守管理情報を、携帯端末２へ送信する。
（Ｓ４０８）携帯端末２は、保守管理サーバ３から、保守管理情報を受信する。
【００４０】
（Ｓ４０９）携帯端末２は、保守管理情報を、ユーザインタフェース部へ出力する。これを、保守管理者は認識する。
【００４１】
以上、詳細に説明したように、本発明の保守管理方法及び設備システムによれば、保守管理者は、携帯端末を用いて視覚的に又は聴覚的に、ケーブル接続の正当性を認識することができる。
【００４２】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００４３】
【図１】本発明におけるシステム構成図である。
【図２】本発明における携帯端末及び保守管理サーバの機能構成図である。
【図３】本発明における携帯端末に表示される画像の例である。
【図４】本発明における携帯端末のフローチャートである。
【符号の説明】
【００４４】
１１  ラック装置
１２  ユニット装置
１３  ケーブル
２  携帯端末
２１  識別子読取部
２２  識別子送信部
２３  保守管理情報受信部
２４  ユーザインタフェース部
２５  通信インタフェース部
３  保守管理サーバ
３１  識別子受信部
３２  保守管理情報生成部
３３  保守管理情報送信部
【図１】
2009217732.tif 000003
【図２】
2009217732.tif 000004
【図３】
2009217732.tif 000005
【図４】
2009217732.tif 000006